(57)【要約】【課題】広い事務室や作業場などでは、人の出入りが煩雑で照明の点灯消灯のタイミングが難しく、完全終業まで照明をすべて点灯し放しにすることが多く電気の無駄使いになっている。これを防ぐために人の有無の検知ユニットを取り付け、その信号から自動的に該当する照明の点灯消灯を行うことが必要である。またこれを安価に容易に構築できるようにする。【解決手段】人検知ユニットを天井などに検知範囲に応じて取り付け、その信号を一つのスイッチ制御装置に送り、該当照明の電源を統合して入り切りするようにした。また、すでに設備されている照明設備にたいしても容易に追加できるように、検知ユニットとスイッチ制御装置の間をワイヤレスにすることや、通常の壁スイッチを改造することなく、電磁式アクチュエーターなどで容易に設備できる機構とした。【選択図】　　なし【特許請求の範囲】
【請求項１】
広い事務室など、照明器具が多数天井などに設置され、電源系統がいくつかのブロックに分かれている場合に、各ブロック内の人の有無を検知し、該当するブロックの照明を点灯し、そのブロックの人が退去すればそれを検知、自動的に消灯するシステムで複数の検知ユニットと複数のブロックを統合監視し照明電源の制御を行うシステム
【請求項２】
検知ユニットと照明電源制御装置の信号をワイヤレスで行うシステム
【請求項３】
照明電源制御装置に対して、メモリーカードなどの外部媒体からの検知ユニット・電源系統組合わせデーター設定を行う方式
【請求項４】
照明電源制御装置で、すでに設備してある手動のスイッチボックスに後付けでスイッチの入り切りをする装置。
【発明の詳細な説明】
【０００１】
【発明が属する技術分野】
本発明は人が出入りするところの照明器具などを自動的に点灯消灯するシステムに関するものである。
【０００２】
【従来の技術】
従来は照明器具に付属し、人の検知器とスイッチ回路が照明器具に組み込まれているものか、照明器具自身に直接接続するものである。
【０００３】
【発明が解決しようとする課題】
広い事務室などで、多数の人が業務に従事していて、出社、退社時間がまちまちな場合、照明の点灯消灯の管理は煩雑で無駄な電力消費をもたらす。これを防ぐためには、人の有無を検知して、自動的に該当する照明を点灯消灯すれば、無駄な電力消費を防げる。しかしながら、大きいフロアーに多数の照明器具が天井に取り付けられている場合、照明器具一つ一つに人の検知器とスイッチ回路を取り付けると、多大の費用がかかる。また、既に設備されている手動のスイッチで点灯消灯するフロアを自動式に改造する場合、照明器具自身を自動の機能があるものに交換するか、改造をしなければならず、大規模な電気工事が伴い、やはり費用がかかる。この問題を解決するために、大規模な改造工事をせずに有効に安価に照明器具の点灯消灯を自動化するシステムが要求される。
【０００４】
【課題を解決するための手段】
人検知ユニットを、照明の電源系統のブロック、検知範囲に応じて天井などに複数設置し、照明器具とは独立に一つのスイッチ制御装置に信号を送る。スイッチ制御装置は送られてきた複数の検知ユニットからの人の有無信号をあらかじめ決められた範囲、条件から判断して該当する照明の点灯消灯を行う。
【０００５】
【発明実施の形態】
以下、添付図面に示す実施の形態例に基づき、この発明を詳細に説明する。
【０００６】
【実施例】
図１は事務室などの側面から見た模式図である。天井には通常の照明器具２が複数ある。通常これら照明器具２の点灯消灯は壁４に取り付けられているスイッチボックス６で手動で行う。本発明では、このスイッチボックス６を改造または付け替えてスイッチ制御装置５を取り付ける。もちろん新設工事の場合、スイッチ制御装置５は新規につければよい。天井１には検知範囲に応じて、いくつかの人検知ユニット３を配置する。この人検知ユニット３は、事務室などに人７が入れば検知しスイッチ制御装置５に人の存在の信号を送る。人７がいなくなれば検知ユニット３はやはりスイッチ制御装置５に不在の信号を送る。信号は、人が入って来たときと出て行ったときのみ、在不在の信号を送ればよく、継続的に人が居たり、無人の場合は送る必要はない。図２は広い事務室などの照明器具２の配置とその電源系統１１Ａ〜１１Ｆや人検知ユニット３の配置の例を平面図で示している。通常の事務室の照明器具は長さ１．２ｍ、幅０．３ｍ位であり、天井の高さを２．５ｍとすると、通常の人検知器の検知範囲は検知器の真下、直径６ｍ位となる。図２はこれを想定して描かれている。円形の９Ａ、９Ｂ、９Ｃは、各人検知ユニット３Ａ，３Ｂ，３Ｃの検知範囲をしめす。照明器具は広い事務室などでは通常多数あるので、省略されて図示されている。また広い事務室などの照明器具はいくつかのブロックに電源系統が分かれていることが多い。図２の例では電源系統１１Ａ〜１１Ｆが示されている。照明器具の点灯消灯はこの電源系統別にスイッチボックス６で行われる。各人検知ユニット３Ａ、３Ｂ、３Ｃはそれぞれスイッチ制御装置５に信号的に接続されている。今、人検知ユニット３Ａのみが人を検知し他の検知ユニットは検知しないとすると、人がいるエリアは人検知ユニット３Ａの検知エリアの一部で他の人検知ユニットのエリアと重複しない部分であることが判る。この時スイッチ制御装置５は、このエリアに該当する電源系統１１Ａ〜１１Ｆの照明器具を点灯させる。もし、人検知ユニット３Ｂのみが人を検知したとすると、人検知ユニット３Ｂの検知範囲９Ｂの内、他の検知範囲と重複しないエリアに人が居ることが判るので、このエリアに該当する電気系統１１Ａのみの照明器具を点灯させる。このようにスイッチ制御装置５に複数の人検知ユニットの検知状態組み合わせから、必要最低限の電源系統の照明器具のみを点灯する判断の機能を持たせる。図３にスイッチ制御装置５の機能図を示す。検知ユニット信号１２Ａ〜１２Ｄの信号により人の有無の信号状態が、信号対応電気系統判断部１３で解読され、検知ユニット信号１２Ａ〜１２Ｄに対応する信号状態の組み合わせにより、電源系統の照明を点灯するかどうかを判断し、スイッチ制御部１４へ送る。スイッチ制御部１４はこの情報を基に、該当する電源系統のリレー又はスイッチアクチュエータ１５を作動させ電源の入り切りを行う。検知ユニット信号の状態と電源系統との対応は、予めその事務室などの電源系統の状態と検知ユニットの設置状況により、対応データを作成し、検知状態・電源系統対応データメモリー１６へ記憶しておく。このデータの作成は、制御装置本体に付属する、対応データプログラミング部１７で行うか、対応データ外部設定装置１８からパーソナルコンピュータなど他の装置で作成したものを記憶媒体で設定する。この記憶媒体は、ＲＯＭ、メモリーカード、フレキシブルディスクなどが考えられる。また、従来通りの手動のスイッチでの操作可能にするため、外部手動スイッチ部１９を設ける。手動スイッチ部１９は手動スイッチが付いているが、実際はこのスイッチの状態によりスイッチ制御部１４を経由して対応するリレー又はスイッチアクチュエータ１５を作動させる。
【０００７】
人検知信号１２Ａ〜１２Ｄは、信号線で送られるが、無線通信または赤外線通信などのワイヤレスでも可能である。図４はワイヤレスの場合の人検知ユニット３とスイッチ制御装置受信ユニット２７の信号の流れを説明する図である。検知素子２０で新たに人が検知されると電圧レベルが変化し検知回路２１で検知され、発信部２２に送る。発信部は、新たに人が検知されたコードと検知ユニット番号メモリー２６にある番号を添付してスイッチ制御装置５に無線などワイヤレスで送信する。送信するデータの形式は、デジタル形式が有効である。検知ユニット番号は予めなんらかの方法で検知ユニットに固有な値に設定されている。スイッチ制御装置５の受信部２４はこの信号データを受信し、検知ユニット信号状態設定部２５に送られる。この受信データより、対応した検知ユニット３の信号線を有線の場合と同様に、信号対応電源系統判断部１３に送られる。そこから先の動作は有線の場合と同様である。
【０００８】
照明電源の入り切り制御は通常リレーを使用して行えるが、アクチュエーターを使用して既存の壁スイッチパネル上のスイッチを操作することによりも実現できる。図３のリレー又はスイッチアクチュエータ１５の部分を電磁式アクチュエーターで行わせた実施例を外観図で示したのが図５である。既存の壁スイッチパネル２９の前面に、スイッチ制御部５を取り付ける。検知ユニット信号１２Ａ〜１２Ｄがスイッチ制御部の電気回路部３１に入り該当する電源系統の電磁アクチュエータ２８を作動させる。電磁アクチュエータ２８は、既存手動スイッチ３２を機械的に人の指の動作と同じように押して電源を入り切りする機構になっている。シーソー式スイッチであれば、入り切りに２つの電磁アクチュエータが必要である。また外部手動スイッチ３０を設け、従来通り手動でも照明の点灯消灯ができるようにする。ただ、電気配線を伴わずに外部手動スイッチ３０の状態そのまま既存手動スイッチ３２と同等にできないので、実際は電気回路部３１にスイッチ信号が入り、その信号により電気回路部３１が電磁アクチュエータ２８を作動させる。
【０００９】
【発明の効果】
本発明は主に広い事務室や作業場で、人の有無を検知して、最適な照明の点灯消灯を自動的に行うため、無駄な照明を防ぎ省電力に寄与する。また、すでにある照明設備を大きく改造せずに行えるので比較的安価に導入できる。また人検知ユニットの配置を有効に出来るので、その室と人の配置に応じて最適に行える。たとえば、通常の事務室の照明器具は長さ１．２ｍ、幅０．３ｍ位である。現在存在する検知ユニットの検知範囲は天井の高さを２．５ｍとすると直径６ｍ位である。その範囲にある照明器具は、２０台以上で、検知範囲が重複することを含めても１つの検知ユニットで１０台以上の照明器具をカバーできる。このため少ない検知ユニットでシステムを構築できるので、この点でも安価である。また、検知ユニットと照明電源スイッチとの組み合わせを着脱式のメモリーカードなどで行えるので、各事務室などで条件が違っても容易に構築、設備できる。
【図面の簡単な説明】
【図１】事務室などの側面から見たの模式図である
【図２】事務室などの照明器具の配置とその電源系統や人検知ユニットの配置の例を平面図で示している。
【図３】スイッチ制御装置の機能図である。
【図４】ワイヤレスの場合の検知ユニットとスイッチ制御装置の受信信号の流れを説明する図である。
【図５】電磁式アクチュエーターで既存の壁スイッチ操作を自動で行わせる装置の実施例の外観図である。
【符号の説明】
１　　　天井
２　　　照明器具
３　　　人検知ユニット
３Ａ　　人検知ユニットＡ
３Ｂ　　人検知ユニットＢ
３Ｃ　　人検知ユニットＣ
３Ｄ　　人検知ユニットＤ
３Ｅ　　人検知ユニットＥ
３Ｆ　　人検知ユニットＦ
３Ｇ　　人検知ユニットＧ
４　　　壁
５　　　スイッチ制御装置
６　　　スイッチボックス
７　　　人
８　　　壁スイッチ
９Ａ　　人検知ユニット３Ａの検知範囲
９Ｂ　　人検知ユニット３Ｂの検知範囲
９Ｃ　　人検知ユニット３Ｃの検知範囲
１０　　事務室など
１１　　照明器具の電源系統
１１Ａ　照明器具ブロックＡの電源系統
１１Ｂ　照明器具ブロックＢの電源系統
１１Ｃ　照明器具ブロックＣの電源系統
１１Ｄ　照明器具ブロックＤの電源系統
１１Ｅ　照明器具ブロックＥの電源系統
１１Ｆ　照明器具ブロックＦの電源系統
１２　　人検知ユニット信号系統
１２Ａ　人検知ユニットＡ信号系統
１２Ｂ　人検知ユニットＢの信号系統
１２Ｃ　人検知ユニットＣ信号系統
１２Ｄ　人検知ユニットＤの信号系統
１３　　信号対応電気系統判断部
１４　　スイッチ制御部
１５　　リレー又はスイッチアクチュエータ
１６　　検知状態・電源系統対応データメモリー
１７　　対応データプログラミング部
１８　　対応データ外部設定モジュール
１９　　外部手動スイッチ部
２０　　検知素子
２１　　検知回路
２２　　発信部
２３　　無線または赤外線通信など
２４　　受信部
２５　　信号状態設定部
２６　　検知ユニット番号メモリー
２７　　スイッチ制御装置受信ユニット
２８　　電磁式アクチュエーター
２９　　既存の壁スイッチパネル
３０　　外部手動スイッチ
３１　　スイッチ制御部電気回路部
３２　　既存手動スイッチ
【図１】
2004047218.tif 000002
【図２】
2004047218.tif 000003
【図３】
2004047218.tif 000004
【図４】
2004047218.tif 000005
【図５】
2004047218.tif 000006